(57)【要約】【課題】  空気吹出口から吹き出される乾燥空気の吹出方向を水平方向に変化させるに当たって、その変化させる範囲を任意に設定できるようにする。【解決手段】  空気吸込口３２から室内空気Ｗｒを取り込み、除湿処理後の乾燥空気Ｗｒ′を空気吹出口３３から吹き出すためのメインファン２３と、取り込んだ室内空気Ｗｒの除湿処理を行う除湿手段（除湿ロータ２５）とを備えた除湿機において、前記空気吹出口３３に、乾燥空気Ｗｒ′の吹出方向を規定するルーバ５０を回転自在に設けるとともに、前記ルーバ５Ｏの回転角度範囲を設定する回転角度設定手段を付設して、ユーザの希望する回転角度範囲においてルーバ５０が往復揺動し得るようにしている。【選択図】        図３
2006218356.tif 000002
【特許請求の範囲】
【請求項１】
空気吸込口から空気を取り込み、除湿処理後の乾燥空気を空気吹出口から吹き出すためのメインファンと、取り込んだ空気の除湿処理を行う除湿手段とを備えた除湿機であって、前記空気吹出口には、乾燥空気の吹出方向を規定するルーバを回転自在に設けるとともに、前記ルーバの回転角度範囲を設定する回転角度設定手段を付設したことを特徴とする除湿機。
【請求項２】
前記回転角度設定手段による回転角度範囲の設定を、前記ルーバの回転中に行うこととしたことを特徴とする請求項１記載の除湿機。
【請求項３】
前記回転角度設定手段により設定される回転角度範囲を、所定のスイッチの操作により決定される回転始点と回転終点との間としたことを特徴とする請求項１および２のいずれか一項記載の除湿機。
【請求項４】
前記回転始点の決定後前記回転終点の決定までの間前記ルーバの回転を継続するように構成したことを特徴とする請求項３記載の除湿機。
【請求項５】
前記スイッチとして一つの回転角度設定ボタンを採用し、該回転角度設定ボタンの最初の操作により前記回転始点が決定され、該回転角度設定ボタンの次の操作により前記回転終点が決定されるように構成したことを特徴とする請求項３および４のいずれか一項記載の除湿機。
【発明の詳細な説明】
【技術分野】
【０００１】
本願発明は、除湿機に関し、さらに詳しくは、空気吸込口から空気を取り込み、除湿処理後の乾燥空気を空気吹出口から吹き出すためのメインファンと、取り込んだ空気の除湿処理を行う除湿手段とを備えた除湿機に関するものである。
【背景技術】
【０００２】
除湿機として、例えば特許文献１に開示されているようなローター式除湿機と呼ばれるものが知られている。このタイプの除湿機は、ゼオライトのような吸湿剤が含浸された除湿ローターに空気を通過させることによって、空気中の水分を除湿ローターに吸着させ、除湿処理後の乾燥空気を空気吹出口から吹き出し室内を乾燥させるようにしている。このタイプの除湿機で空気吹出口から吹き出される乾燥空気の吹出方向が変化する構造のものは見当たらない。
【０００３】
また、例えば特許文献２に開示されているように、圧縮機を用いた冷却式の除湿機において、乾燥空気の吹出方向を変化させる構造が従来技術として存在する。特許文献２に開示されている構造では、水平軸心周りに回動可能な風向変更用のルーバを空気吹出口に設け、該ルーバの角度調整によって乾燥空気の吹出方向を略上方向から略水平方向に亘って変えられるように構成されている。
【０００４】
【特許文献１】特開２００１−２５９３４９号公報。
【０００５】
【特許文献２】特開２００１−２２７８０９号公報。
【発明の開示】
【発明が解決しようとする課題】
【０００６】
ところが、従来の除湿機のルーバは、上記特許文献２にも開示されているように、水平軸心を中心に上下方向に変化させることはできるものの、水平方向には変化させることができない。この種の除湿機の場合、比較的小さな空気吹出口から吹き出される乾燥空気を部屋の隅々まだ行き渡らせるには、吹出方向を水平方向に変化させる構造が望ましく、また、吹出方向を水平方向に変化させる場合において、その変化させる範囲をユーザが任意に設定できるようにするのが、被乾燥物（例えば、洗濯物）と除湿機との位置関係に左右されずに、効率的な乾燥を行う上で好ましいという要求がある。
【０００７】
本願発明は、上記の点に鑑みてなされたもので、空気吹出口から吹き出される乾燥空気の吹出方向を水平方向に変化させるに当たって、その変化させる範囲を任意に設定できるようにすることを目的とするものである。
【課題を解決するための手段】
【０００８】
本願発明では、上記課題を解決するための第１の手段として、空気吸込口から空気を取り込み、除湿処理後の乾燥空気を空気吹出口から吹き出すためのメインファンと、取り込んだ空気の除湿処理を行う除湿手段とを備えた除湿機において、前記空気吹出口に、乾燥空気の吹出方向を規定するルーバを回転自在に設けるとともに、前記ルーバの回転角度範囲を設定する回転角度設定手段を付設している。
【０００９】
上記のように構成したことにより、回転角度設定手段によりルーバの回転角度範囲が、ユーザの希望通りに任意に設定できることとなる。従って、ユーザの希望する回転角度範囲においてルーバが往復揺動することとなり、除湿機自体を動かさなくとも、希望通りの乾燥空気の吹出方向が得られる。
【００１０】
本願発明では、さらに、上記課題を解決するための第２の手段として、上記第１の手段を備えた除湿機において、前記回転角度設定手段による回転角度範囲の設定を、前記ルーバの回転中に行うこととすることもでき、そのように構成した場合、ルーバの回転途中における所望の回転角度範囲が設定できることとなり、ユーザの希望に適合させ易くなる。
【００１１】
本願発明では、さらに、上記課題を解決するための第３の手段として、上記第１又は第２の手段を備えた除湿機において、前記回転角度設定手段により設定される回転角度範囲を、所定のスイッチの操作により決定される回転始点と回転終点との間とすることもでき、そのように構成した場合、所定のスイッチを２回操作するだけで、ルーバの回転角度範囲の始点と終点とを設定できることとなり、回転角度範囲の設定が簡単に行える。
【００１２】
本願発明では、さらに、上記課題を解決するための第４の手段として、上記第３の手段を備えた除湿機において、前記回転始点の決定後前記回転終点の決定までの間前記ルーバの回転を継続するように構成することもでき、そのように構成した場合、回転始点の決定後おいても回転終点が決定されるまで、ルーバの回転が継続されるところから、ルーバの回転状態を見ながら回転角度範囲の設定が行えることとなり、所望の回転角度範囲の設定を確実に行うことができる。
【００１３】
本願発明では、さらに、上記課題を解決するための第５の手段として、上記第３又は第４の手段を備えた除湿機において、前記スイッチとして一つの回転角度設定ボタンを採用し、該回転角度設定ボタンの最初の操作により前記回転始点が決定され、該回転角度設定ボタンの次の操作により前記回転終点が決定されるように構成することもでき、そのように構成した場合、回転始点と回転終点との二つの設定を一つの回転角度設定ボタンの２回の操作により行うことができることとなり、操作性が大幅に向上する。
【発明の効果】
【００１４】
本願発明の第１の手段によれば、空気吸込口から空気を取り込み、除湿処理後の乾燥空気を空気吹出口から吹き出すためのメインファンと、取り込んだ空気の除湿処理を行う除湿手段とを備えた除湿機において、前記空気吹出口に、乾燥空気の吹出方向を規定するルーバを回転自在に設けるとともに、前記ルーバの回転角度範囲を設定する回転角度設定手段を付設して、回転角度設定手段によりルーバの回転角度範囲が、ユーザの希望通りに任意に設定できるようにしたので、ユーザの希望する回転角度範囲においてルーバが往復揺動することとなり、除湿機自体を動かさなくとも、希望通りの乾燥空気の吹出方向が得られるという効果がある。
【００１５】
本願発明の第２の手段におけるように、上記第１の手段を備えた除湿機において、前記回転角度設定手段による回転角度範囲の設定を、前記ルーバの回転中に行うこととすることもでき、そのように構成した場合、ルーバの回転途中における所望の回転角度範囲が設定できることとなり、ユーザの希望に適合させ易くなる。
【００１６】
本願発明の第３の手段におけるように、上記第１又は第２の手段を備えた除湿機において、前記回転角度設定手段により設定される回転角度範囲を、所定のスイッチの操作により決定される回転始点と回転終点との間とすることもでき、そのように構成した場合、所定のスイッチを２回操作するだけで、ルーバの回転角度範囲の始点と終点とを設定できることとなり、回転角度範囲の設定が簡単に行える。
【００１７】
本願発明の第４の手段におけるように、上記第３の手段を備えた除湿機において、前記回転始点の決定後前記回転終点の決定までの間前記ルーバの回転を継続するように構成することもでき、そのように構成した場合、回転始点の決定後おいても回転終点が決定されるまで、ルーバの回転が継続されるところから、ルーバの回転状態を見ながら回転角度範囲の設定が行えることとなり、所望の回転角度範囲の設定を確実に行うことができる。
【００１８】
本願発明の第５の手段におけるように、上記第３又は第４の手段を備えた除湿機において、前記スイッチとして一つの回転角度設定ボタンを採用し、該回転角度設定ボタンの最初の操作により前記回転始点が決定され、該回転角度設定ボタンの次の操作により前記回転終点が決定されるように構成することもでき、そのように構成した場合、回転始点と回転終点との二つの設定を一つの回転角度設定ボタンの２回の操作により行うことができることとなり、操作性が大幅に向上する。
【発明を実施するための最良の形態】
【００１９】
以下、添付の図面を参照して、本願発明の好適な実施の形態について詳述する。
【００２０】
この除湿機１０は、前ケース２１および後ケース２２からなる樹脂製の本体ケース２０でその外郭が形成される。本体ケース２０内には、メインファン２３と該メインファン２３を駆動するメインモータ２４、除湿ロータ２５と該除湿ロータ２５を回転駆動する除湿モータ２６、ヒータ等が内蔵される再生ユニット２７、前側熱交換器２８および後側熱交換器２９からなる熱交換器ユニット、フィルター３０、ドレンタンク３１等が収納配置される。
【００２１】
遠心ファンであるメインファン２３は、本体ケース２０の背面側の後ケース２２に形成される空気吸込口３２から室内空気Ｗｒを取り込み、取り込まれた室内空気Ｗｒは、除湿ロータ２５等により湿気が取り除かれる。除湿処理後の乾燥空気Ｗｒ′は、メインファン２３により除湿機１０の上部に設けられる空気吹出口３３から室内に排出され、室内に排出された乾燥空気Ｗｒ′は、室内を除湿したり、或いは洗濯後の衣類等の被乾燥物を乾燥する。
【００２２】
本実施の形態にかかる除湿機１０は、除湿ロータ２５、再生ユニット２７、前側熱交換器２８および後側熱交換器２９からなる熱交換器ユニット等によって除湿部が構成されている。除湿ロータ２５は、セラミック繊維紙を円盤状に巻回して高温焼成したものに吸湿剤としてのゼオライトを含浸させた構造を有する。なお、吸湿剤としては、ゼオライト以外のものを採用できる。
【００２３】
前記メインファン２３によって空気吸込口３２から取り込まれた室内空気Ｗｒは、除湿ロータ２５を通過するときに水分が吸い取られ、室内空気の除湿が行われる。除湿ロータ２５の外周には平ギヤであるロータギヤ２５ａが設けられ、これに噛み合う小径のモータギヤ２６ａが除湿モータ２６の回転軸に固定されている。除湿モータ２６が回転すると、除湿ロータ２５が中心軸３４の周りをゆっくり回転するように構成されている。
【００２４】
図４に示すように、除湿ロータ２５の一部である扇形部分に再生ユニット２７を構成する金属ケース２７ａが設けられる。この金属ケース２７ａの中には、再生ヒータ２７ｂが装着される。また、前記金属ケース２７ａの側部には再生用空気の送風路２７ｃが連通しており、該送風路２７ｃの中には、シロッコファンである再生ファン２７ｄのインペラーが収容されている。
【００２５】
前記再生ファン２７ｄによって送風される再生用空気Ｗ1は、再生ユニット２７の再生ヒータ２７ｂで加熱された後、除湿ロータ２５の一部である扇形部分からなる再生ゾーンに前面側から当てられる。
【００２６】
再生ゾーンでは、除湿ロータ２５の吸湿剤に含まれていた水分が、加熱された再生用空気Ｗ1によって取り除かれるとともに除湿ロータ２５が乾かされる。これにより吸湿剤の吸湿機能が回復して再生され、除湿ロータ２５の回転に伴って再び除湿ゾーンへ移動して除湿処理を行う。なお、除湿ゾーンは、扇形の再生ゾーン以外の部分である。
【００２７】
前側熱交換器２８および後側熱交換器２９は樹脂製の部材で、互いに独立した内部空間を有し、図３および図４に示すように重ね合わせられた状態で、下部コーナーの連結部２８ａで互いに連通している。そして、前側熱交換器２８の上部中央に再生用空気Ｗ1の入口２８ｂが形成され、後側熱交換器２９の上部コーナーに再生用空気Ｗ1の出口２８ｃが形成されている。
【００２８】
前記除湿ロータ２５の再生ゾーンを通過して吸湿した再生用空気Ｗ1は、入口２８ｂから前側熱交換器２８に入り、前側熱交換器２８を上から下へ流れた後に連結部２８ａを通って後側熱交換器２９へ移り、後側熱交換器２９を下から上へ流れた後に、出口２８ｃから熱交換器を出て再生ユニット２７の送風路２７ｃへ戻る。図４では除湿ロータ２５、再生ユニット２７、前側熱交換器２８および後側熱交換器２９とを離して描いているが、実際にはこれらは図３に示すように接近しており、再生ユニット２７、前側熱交換器２８および後側熱交換器２９で構成された閉回路を再生用空気が循環する。
【００２９】
前記前側熱交換器２８および後側熱交換器２９は、それぞれの内部を再生用空気Ｗ1が流れるとともに、それに直交する方向に室内空気Ｗｒが通過できるように多数のスリット２８ｄが形成されている。除湿機背面の空気吸込口３２から取り入れられた室内空気Ｗｒは、フィルター３０を通過した後、後側熱交換器２９および前側熱交換器２８のスリット２８ｄを通過する。この際、後側熱交換器２９および前側熱交換器２８の内部を流れる再生用空気Ｗ1と室内空気Ｗｒとの熱交換が行われ、温度の高い再生用空気Ｗ1は冷却され、室内空気Ｗｒは暖められる。その後室内空気Ｗｒは、スリット２８ｄより流出し、除湿ロータ２５に向かう。
【００３０】
前記再生用空気Ｗ1が冷却されることにより、前記前側熱交換器２８および後側熱交換器２９の内部では、再生用空気Ｗ1中の水分が結露し取り除かれる。結露した水分はそれぞれの中を滴下しながら集められ、下端部に形成された排水口から落下し、ドレンタンク３１に貯められる。水分が取り除かれた再生用空気Ｗ1は、前側熱交換器２８および後側熱交換器２９から再び再生ユニット２７の送風路２７ｃを経て金属ケース２７ａへ送り込まれ、再生ヒータ２７ｂで加熱されて除湿ロータ２５の再生に使用される。
【００３１】
再生ゾーンで加熱された再生用空気Ｗ1によって暖められた除湿ロータ２５は、回転によって除湿ゾーンへ移動した部分に余熱が残っている。熱交換器のスリット２８ｄを通過して暖められた室内空気Ｗｒは、除湿ロータ２５の除湿ゾーンを通過する際に除湿されると共に、余熱の残っている除湿ロータ２５で更に暖められ、メインファン２３を経て空気吹出口３３から乾燥空気Ｗｒ′として外部へ排出される。空気吹出口３３から外部へ排出される乾燥空気Ｗｒ′は、空気吸込口３２から取り入れられた室内空気Ｗｒに比べて湿度が低く、かつ、温度が高い空気となる。
【００３２】
図１および図２に示すように、本体ケース２０の前面側上面には、運転モードの設定及び運転の開始又は停止の指令を行う操作部３５が設けられ、その背面側上面には除湿機１０を持ち運びするための取手３６が配置されている。該取手３６は、除湿機１０を持ち運びする際に図１で破線で示すように垂直状態とされ、設置後は水平状態にされる。
【００３３】
前記本体ケース２０内で、且つ前記空気吹出口３３の下方には、図５に示すモータ取付台４０が水平状態で取り付けられている。このモータ取付台４０は、樹脂製の部材で、その外周上面には下方に凹んだ円形のリング状溝４１が形成され、その中央には上方に膨出した円筒状の隆起部４２が形成されるとともに、リング状溝４１と隆起部４２との間には、多角形の開口４３が複数形成され、除湿後の乾燥空気Ｗｒ′を該開口４３を介して空気吹出口３３に排出する。
【００３４】
前記隆起部４２の上壁面４２ａの下面には、ルーバ（後述する）を回動するためのステッピングモータ４５が取り付けられる。その取り付けは、モータ軸４５ａを上壁面４２ａの中央に設けられる軸開口４２ｂより上方に突出させ、上壁面４２ａの上方に突出して形成される２本のボス４４に上壁面４２ａの下部から図示しないネジを螺合する形態で行われる。また、上壁面４２ａの上方には、軸開口４２ｂとボス４４との間にリング状突起４２ｃが形成され、このリング状突起４２ｃ内には、後述する中間伝達軸９０の底板部９４が支持される。
【００３５】
前記モータ取付台４０の外周上面に形成される円形のリング状溝４１には、ルーバケース４６が嵌合される。該ルーバケース４６は、樹脂製の円筒状部材であり、図１および図３に示すように除湿機１０の上面から上方に突出する形態で取り付けられ、その内部は乾燥空気Ｗｒ′の通り道になり、その上端は空気吹出口３３となる。前記リング状溝４１への取り付けは、図示しない係止片と係止溝とを嵌合する所謂無理ばめによって行われる。
【００３６】
このルーバケース４６内には、ルーバ５０が配設される。該ルーバ５０は、樹脂製部材であり、図５ないし図８に示すように、上面部５１、短側面部５２および長側面部５３からなる。前記上面部５１は、円形の平板状部材であり、断面は若干上方に湾曲し、その上面には化粧板５４（図５および図６参照）が貼付される。
【００３７】
前記短側面部５２は、前記上面部５１の外周下端から下方に垂下したスカート状の部材であり、前記上面部５１の外周の半分を占め、側壁面５２ａを形成する。そのため、乾燥空気Ｗｒ′は短側面部５２側からは排出されない。
【００３８】
前記長側面部５３は、前記上面部５１の残り半分の外周下端から下方に垂下する形態で形成される部材であり、４枚の半円弧状の平板部材５３ａを上下方向にほぼ等間隔に配置するとともに、間に垂直な支持具５３ｂを介在させて形成される。そのため、平板部材５３ａの間は空気吹出口３３の一部にもなり、乾燥空気Ｗｒ′を外部に排出することができる。そして、前記短側面部５２と長側面部５３との境の中心線部がルーバ５０を手動で上下方向に回転させる場合の水平軸心になる。
【００３９】
なお、前記長側面部５３の上下方向の長さは、前記短側面部５２の約２倍にされる。また、前記ルーバ５０をルーバケース４６内に水平の正立状態で配置した際には、ルーバケース４６の上端面から略短側面部５２の長さ上方に突出し、空気吹出口３３は露出状態とされる。また、前記ルーバ５０は、ルーバケース４６内に余裕を持って配置され、ルーバ５０の正立状態でルーバケース４６の内周面との間に空気吹出口３３を形成している。
【００４０】
前記ルーバ５０の上面部５１の下部には、図８に示すように、２枚の垂直部材５５が離れて且つ平行に垂下される。この垂直部材５５は、図７に示すように前方後円状で、その下方の円形部の中心には軸孔５８が形成されるとともに、該軸孔５８の上方には、軸孔５８より小径で且つ同径の３個の係合穴５９が同一円弧上で等間隔に穿設される。そして、前記軸孔５８には、後述するルーバ軸６０の軸棒６９（図５参照）が係合され、前記係合穴５９には、ルーバ軸６０をクリック感を付与して回動するための小径プランジャー７５および大径プランジャー７６の軸突起７５ａ、７６ａが係合される（図５参照）。
【００４１】
また、前記垂直部材５５の外側には、２個のリブ５７が補強用として形成され、垂直部材５５の内側には、両垂直部材５５を連結する形態で低い水平部材５６が形成される。該水平部材５６には、後述するルーバ軸６０の上面に形成されるストッパ部材７８が当接可能とされ、ルーバ軸６０は、垂直状態から一方向への回動は許容されるが、他方向への回動は阻止される。
【００４２】
前記ルーバ軸６０は、樹脂製の上方が閉鎖され下方が解放された釣鐘状の部材であり、下方の円筒部６１および上方の膨出部６２からなる。前記円筒部６１の断面は、図１３に示すように同形の円弧部分６３と同形の直線部分６４をそれぞれ対向して配置した形状からなり、図１１および図１３に示す形状の内部空間６１ａを有する。
【００４３】
前記円弧部分６３の全外周面には、図１１に示されるようにスプリング６８を支持するための凹み６５が形成される。前記直線部分６４の全外周面には、外側から内側に貫通した直線状の貫通孔６６が形成され、スプリング６８を円筒部６１の外周面に支持させると図１０および図１３で示すようにスプリング６８の一部がこの貫通孔６６から内部空間６１ａ内に侵入する。
【００４４】
この点について補足する。スプリング６８を図１４に示す。スプリング６８は、略Ｃ字状の棒状のばね部材であり、前記円弧部分６８ａと直線部分６８ｂとを交互に配した形状からなり、一方の円弧部分６８ａには、切れ目６８ｃが形成される。
【００４５】
前記スプリング６８をルーバ軸６０の円弧部分６３に係合すると、スプリング６８の円弧部分６８ａは、ルーバ軸６０の円弧部分６３の凹み６５に支持され、スプリング６８の直線部分６８ｂは、ルーバ軸６０の直線部分６４の貫通孔６６内に嵌入し、図１０および図１３に示すように内部空間６１ａ内に侵入する。
【００４６】
この内部空間６１ａ内に侵入するスプリング６８の直線部分６８ｂは、前記ルーバ軸６０内に後記のクランプ軸８０を嵌合する際、外方へ広がるように押されるばね作用を奏し、前記ルーバ軸６０とクランプ軸８０とを係合する。なお、スプリング６８の切れ目６８ｃが係合するルーバ軸６０の円弧部分６３には凹み６５は設けられていない。
【００４７】
前記ルーバ軸６０の２つの直線部分６４の外側間の長さは、前記ルーバ５０の下面に垂下される２つの垂直部材５５の内側間の長さよりは若干短くされており、２つの直線部分６４の外側面には、図１２に示すように、上方に後述する小径プランジャー７５および大径プランジャー７６の軸突起７５ａ、７６ａが貫通する小開口６７が形成されるとともに、小開口６７の下方には軸棒６９が形成される。該軸棒６９は、小開口６７より大径で外方に突出し、前記ルーバ５０の下面に対向して垂下される２つの垂直部材５５に形成される軸孔５８に軸支され、ルーバ軸６０を軸孔５８周りに回動自在にする。
【００４８】
前記ルーバ軸６０の内部空間６１ａの頂面には、図１３に示すように、円弧状に山形状の第１ギヤ７０が対向配置されており、この第１ギヤ７０は後述するクランプ軸８０の第２ギヤ８５と係合し、ステッピングモータ４５の回動をルーバ５０に伝達する。
【００４９】
前記ルーバ軸６０上方の膨出部６２は、略蒲鉾形状からなり、内部に上方に膨らんだ略蒲鉾形状の内部空間６２ａを形成する。この内部空間６２ａ内には、図５および図６に示すようにスプリングを内蔵した２つのプランジャーが収納される。
【００５０】
前記プランジャーは、小径プランジャー７５および大径プランジャー７６からなる。両プランジャー７５、７６とも一方が開放され他方が閉鎖された円筒状部材であり、閉鎖端には外方へ突出する軸突起７５ａ、７６ａがそれぞれ設けられる。そして、使用に際しては両プランジャー７５、７６の開放端側を対向させ、小径プランジャー７５を大径プランジャー７６内に挿入する形態で用いられる。
【００５１】
そして、小径プランジャー７５を大径プランジャー７６内に挿入するに際し、小径プランジャー７５内に予めコイルバネからなるプランジャースプリング７７が挿入される。このプランジャースプリング７７は、小径プランジャー７５より長いものが用いられ、小径プランジャー７５内にプランジャースプリング７７を挿入した状態では、プランジャースプリング７７の他端は小径プランジャー７５の開放端から飛び出ている。そのため、小径プランジャー７５内にプランジャースプリング７７を挿入した状態で大径プランジャー７６を小径プランジャー７５の外周上に挿入すると、プランジャースプリング７７は両プランジャー７５、７６を引き離す方向に付勢する。
【００５２】
両プランジャー７５、７６の内部空間６２ａへの取り付けは次のように行われる。まず、小径プランジャー７５内にプランジャースプリング７７を挿入した状態で大径プランジャー７６を小径プランジャー７５の外周上に挿入し、プランジャーユニットとする。次いで、そのプランジャーユニットをルーバ軸６０上方の内部空間６２ａ内に挿入し、両プランジャー７５、７６の閉鎖端に形成されるそれぞれの軸突起７５ａ、７６ａをルーバ軸６０の側面に穿設される小開口６７に嵌合する。すると、両プランジャー７５、７６の軸突起７５ａ、７６ａの先端は、ルーバ軸６０の小開口６７より若干外方に飛び出る形態で係止され、軸突起７５ａ、７６ａの先端に内向きの力が働くと軸突起７５ａ、７６ａは内部空間６２ａ側に引っ込み、加わる力が解除されると元の位置に復帰する。
【００５３】
また、前記ルーバ軸６０の膨出部６２の上方には、図１１および図１２に示すように、平板上のストッパ部材７８が立設される。このストッパ部材７８は、図９に示すように、ルーバ軸６０の中心部まで延設される。該ルーバ軸６０がルーバ５０に組み立てられると、このストッパ部材７８は、ルーバ５０の上面部５１から垂下する水平部材５６（図７および図８参照）に当接し、ルーバ５０を垂直状態である正立状態にさせるとともに、その状態からルーバ５０の長側面部５３側が上動する一方向のみの回動を許容する。
【００５４】
前記ルーバ軸６０のルーバ５０への取り付けは次のように行われる。まず、ルーバ軸６０の内部空間６２ａ内に上記したプランジャーユニットを組み込む。次いで、そのルーバ軸６０の直線部分６８ｂをルーバ５０の垂直部材５５間に嵌合する。その嵌合方向は、ルーバ軸６０のストッパ部材７８がルーバ５０の長側面部５３側になるような方向である。
【００５５】
嵌合時には、直線部分６８ｂには軸棒６９が突出形成されおり、この軸棒６９が垂直部材５５に引っ掛かり、その嵌合がスムーズに行われないので垂直部材５５を押し広げた状態でルーバ軸６０を押し込む。すると、軸棒６９は、垂直部材５５に形成される軸孔５８に嵌入する。軸棒６９が軸孔５８に嵌入すると、押し広げられていた垂直部材５５は元の位置に戻り、ルーバ軸６０はルーバ５０に対しがたつくことなく回動自在に取り付けられる。
【００５６】
なお、軸棒６９が軸孔５８に嵌入した後、ルーバ５０に対しルーバ軸６０を垂直にする、即ち、ルーバ５０を正立状態にすると、ルーバ軸６０のストッパ部材７８は、ルーバ５０の水平部材５６に当接するとともに、小径プランジャー７５および大径プランジャー７６の軸突起７５ａ、７６ａは、垂直部材５５に設けられ図７の右側の最も上方に位置する一番目の係合穴５９に嵌合する。
【００５７】
ルーバ軸６０が後記のクランプ軸８０等に係合された状態では、ルーバ５０は、長側面部５３側が上動する方向のみ回動が許容される。その回動は、３つの係合穴５９の間で行われる。その角度は、２２．５°毎に設定されており、係合穴５９間の移動は、プランジャースプリング７７によりクリック感が付与されるとともに、０°（正立状態）、２２．５°、４５°の範囲でシーソー運動が行われる。そして、各係合穴５９での係合により僅かな力での回動が阻止される。
【００５８】
即ち、ルーバ５０の垂直軸心を中心にした水平方向の揺動回動は、ステッピングモータ４５により３６０°内の任意の角度範囲で自動で行われ、短側面部５２と長側面部５３との境の中心線上の水平軸心を中心にした上下方向の手動による回動は、０°、２２．５°、４５°の範囲で行われる。
【００５９】
前記クランプ軸８０は、樹脂製の部材であり、図１５ないし図１７に示すように、中間に位置する水平な中間壁８１、この中間壁８１から下方に垂下するスカート部８２、中間壁８１から上方に立設する外側円筒部８３および外側円筒部８３の内側で中間壁８１から上方に立設する内側円筒部８４を有する。
【００６０】
前記スカート部８２内には、後述する軸受部材１００（図２２ないし図２４参照）が余裕を持って嵌入され、中間壁８１の底面と軸受部材１００の上面とで摺動面を形成する。外側円筒部８３の外径は、スカート部８２の外径より若干大きくされ、その上端面には山形状の第２ギヤ８５が形成される。この第２ギヤ８５は、ルーバ軸６０の内部空間６１ａに形成される第１ギヤ７０と同一ピッチで且つほぼ同一円周上に設けられ、クランプ軸８０がルーバ軸６０の内部空間６１ａ内に嵌合されると第１ギヤ７０と係合し、ステッピングモータ４５による回動をクランプ軸８０を介してルーバ軸６０に伝達する。
【００６１】
前記外側円筒部８３の外周には、円周溝８８（図１６参照）が形成される。前記外側円筒部８３の外径は、スプリング６８の直線部分６８ｂとの間の距離より長くされているため、クランプ軸８０をルーバ軸６０の内部空間６１ａに挿入すると、外側円筒部８３がスプリング６８の内面に当接する。かまわずクランプ軸８０を押し込むと、スプリング６８は押し広げられ、クランプ軸８０の挿入が終了した時点では、スプリング６８は円周溝８８内に入り込んでほぼ元の状態に復帰するとともに、クランプ軸８０を係止する。
【００６２】
前記内側円筒部８４は、図１７に示すように、その内部にＤ字状空間８６が形成されるとともに、その上面にビス穴８７が設けられる。そして、前記Ｄ字状空間８６に後述する中間伝達軸９０を挿入し、ビス穴８７の上方からビス９７を挿入することにより、クランプ軸８０と中間伝達軸９０とを一体的に固定する。
【００６３】
前記中間伝達軸９０は、図１８ないし図２１に示すように、頭部９１、鍔部９２、柱部９３および底板部９４を有し、その全体は略灯籠状の樹脂製の部材である。前記頭部９１は、円柱状で、軽量化のため縦方向に４個の縦溝９１ａと、係合用の１つの切り溝９１ｂが形成され、ほぼ全体にわたり断面略Ｄ字状にされ、その下端部には円形の係合円板９１ｃが形成されている。そして、この係合円板９１ｃは、後述する軸受部材１００のフランジ部１０１（図２２ないし図２４参照）との間で若干の隙間を形成し、ルーバ５０着脱時の荷重を後述するように軸受部材１００に逃がす。
【００６４】
また、前記頭部９１の上面にはビス穴９５が形成される。そして、この頭部９１は、クランプ軸８０のＤ字状空間８６に嵌合され、ビス９７（図５参照）により固定される。そして、頭部９１とクランプ軸８０とがビス９７により固定されると、中間伝達軸９０は上方へ持ち上げられ、モータ取付台４０の上壁面４２ａとの間に隙間を形成する。
【００６５】
前記鍔部９２は、頭部９１より大径の円形状の部分であり、中間伝達軸９０が後記の軸受部材１００に嵌合された状態では、軸受部材のフランジ部１０１の底面に当接され、鍔部９２とフランジ部１０１とで摺動面を形成する。前記柱部９３は、頭部９１と鍔部９２とを連結する部分であり、その内部にビス穴９５と連通する矩形状開口９６が底板部９４まで貫通して形成される。
【００６６】
前記底板部９４は、鍔部９２より小径の円形状の部分であり、その中心部に矩形状開口９６が形成される。この底板部９４は、モータ取付台４０の隆起部４２の上面に形成されるリング状突起４２ｃ内に嵌入支持される。そして、ステッピングモータ４５のモータ軸４５ａも矩形状にされており、底板部９４のリング状突起４２ｃ内への嵌入は、底板部９４に形成される矩形状開口９６に矩形状のモータ軸４５ａを挿入した後に行われる。なお、矩形状開口９６の大きさは、モータ軸４５ａの大きさより大きく、矩形状開口９６とモータ軸４５ａとの間には大き目のがたつきが形成されており、ルーバ５０着脱時の荷重がモータ軸４５ａに作用しないようにされている。
【００６７】
前記軸受部材１００は、樹脂製部材であり、図２２ないし図２４に示すように、上端部のフランジ部１０１、フランジ部１０１下方の筒状本体部１０２および支持底板１０３からなる。前記フランジ部１０１は、筒状本体部１０２の上面に内側に張り出す形態で形成され、その中央には嵌合孔１０４が形成される。そして、このフランジ部１０１のフランジ内側面１０１ａと中間伝達軸９０の頭部９１に形成される係合円板９１ｃとの間で若干の隙間を形成し、ルーバ５０着脱時の荷重を後記するように軸受部材１００に逃がす。
【００６８】
前記支持底板１０３は、筒状本体部１０２の下面に外側に張り出す円盤状の部材で、その外周には、３箇所に切欠凹部１０５が形成されるとともに、切欠凹部１０５の間には、３個のビス止め穴１０６が設けられる。なお、筒状本体部１０２と支持底板１０３との境界部には複数の補強用のリブ１０７が設けられる。
【００６９】
そして、前記支持底板１０３は、モータ取付台４０の隆起部４２の上壁面４２ａに取り付けられる。その取り付けは、上壁面４２ａに形成されるボス４４を切欠凹部１０５に挿入し、ビス止め穴１０６に図示しないビスを上方から挿入し、該ビスを上壁面４２ａに螺合することにより行われる。この支持底板１０３をモータ取付台４０の上壁面４２ａに取り付けた状態では、上壁面４２ａに形成されるリング状突起４２ｃは、筒状本体部１０２内に位置する。
【００７０】
各部材の組み立てについて説明する。まず、ルーバ５０にルーバ軸６０を取り付ける。その取り付けは次のように行われる。即ち、ルーバ軸６０の内部空間６２ａ内に小径プランジャー７５および大径プランジャー７６を組み込む。次いで、そのルーバ軸６０の直線部分６８ｂをルーバ５０の垂直部材５５間に嵌合する。その嵌合方向は、ルーバ軸６０のストッパ部材７８がルーバ５０の長側面部５３側になるような方向である。
【００７１】
詳細には、直線部分６８ｂには軸棒６９が突出形成されおり、この軸棒６９が垂直部材５５に引っ掛かり、その嵌合はスムーズに行われないので垂直部材５５を押し広げてルーバ軸６０を押し込む。すると、軸棒６９は、垂直部材５５に形成される軸孔５８に嵌入する。軸棒６９が軸孔５８に嵌入すると、押し広げられていた垂直部材５５は元の位置に戻り、ルーバ軸６０はルーバ５０に対し回動自在に取り付けられる。
【００７２】
次いで、モータ取付台４０の隆起部４２の上面に形成されるリング状突起４２ｃ内に中間伝達軸９０の底板部９４を支持させる。その際、底板部９４に形成される矩形状開口９６に矩形状のモータ軸４５ａを挿入して行なう。
【００７３】
次いで、軸受部材１００を中間伝達軸９０の上方から取り付ける。その取り付けは、軸受部材１００のフランジ部１０１に形成される嵌合孔１０４内に中間伝達軸９０の頭部９１を挿入し、その後、軸受部材１００の支持底板１０３に形成される切欠凹部１０５内にモータ取付台４０の上壁面４２ａのボス４４を挿入し、支持底板１０３を図示しないビスによりモータ取付台４０の上壁面４２ａに螺合することにより行われる。
【００７４】
軸受部材１００が取り付けられた状態では、中間伝達軸９０の頭部９１は、軸受部材１００のフランジ部１０１から上方に突出するとともに、フランジ部１０１の内側面１０１ａと頭部９１に形成される係合円板９１ｃとが僅かの隙間を持って対向し、両部材間で軸受作用を行ない中間伝達軸９０を回動自在に支持する。そして軸受部材１００は、中間伝達軸９０を包囲し保護する。
【００７５】
その後、クランプ軸８０を上方から取り付ける。その取り付けは、クランプ軸８０のＤ字状空間８６内に中間伝達軸９０のＤ字状頭部９１を挿入し、ビス穴８７の上方からビス９７を挿入し、ビス９７を頭部９１の上面に形成されるビス穴９５に螺合することにより行われる。その結果、中間伝達軸９０が回動されると同時にクランプ軸８０も回動される。
【００７６】
その後、クランプ軸８０の上方から既にルーバ５０に取り付けてあるルーバ軸６０を取り付ける。その取り付けは、ルーバ軸６０の内部空間６１ａ内にクランプ軸８０の外側円筒部８３を挿入することにより行われる。挿入後は、スプリング６８が外側円筒部８３の外周部に形成される円周溝８８内に入り込み、ルーバ軸６０の第１ギヤ７０とクランプ軸８０の第２ギヤ８５とが係合する。その結果、中間伝達軸９０が回動するとクランプ軸８０が回動し、クランプ軸８０の回動によりルーバ軸６０およびルーバ５０が回動する。
【００７７】
なお、クランプ軸８０にルーバ５０を取り付ける場合、ルーバ軸６０の第１ギヤ７０とクランプ軸８０の第２ギヤ８５とは、同一ピッチで且つ同一円周上に設けられているため、ルーバ５０を３６０°のいずれの角度からも取り付けることができる。
【００７８】
次に作用について説明する。まず、ルーバ５０の開口角度を手動により設定する。ルーバ５０の短側面部５２の上面を押し下げる。すると小径プランジャー７５および大径プランジャー７６の軸突起７５ａ、７６ａとルーバ５０の１番目の係合穴５９（図７で示す右側の一番高い穴）との係合が外れ、ルーバ５０は、短側面部５２と長側面部５３との境の水平軸心を中心にして長側面部５３が上動する形態で回動し、２番目の係合穴５９（図７で示す中央の穴）まで低抵抗で進み、２番目の係合穴５９に両プランジャー７５、７６の軸突起７５ａ、７６ａが係合するとルーバ５０は開口角度２２．５°の状態で停止する。
【００７９】
その開口角度で良ければルーバ５０を水平方向に回動する次の操作に移るが、さらに開口したい場合には、続いてルーバ５０の短側面部５２の上面を押し下げる。すると両プランジャー７５、７６の軸突起７５ａ、７６ａとルーバ５０の２番目の係合穴５９との係合が外れ、ルーバ５０は、水平軸心を中心にして長側面部５３が上動する形態でさらに回動し、３番目の係合穴５９（図７で示す左側の一番低い穴）まで低抵抗で進み、３番目の係合穴５９に両プランジャー７５、７６の軸突起７５ａ、７６ａが係合するとルーバ５０は開口角度４５°の状態で停止する。
【００８０】
その後、操作部３５上のスイッチを入れ、ルーバ５０を垂直軸心を中心にして水平方向に回動する。その操作は、図２５に示すように、回動中に始点Ｓ1と終点Ｓ2とを指定することにより、３６０°の範囲の間で任意の角度αを設定することができる（なお、その制御に関しては後述する）。角度設定をすると、ステッピングモータ４５は指定された角度で揺動運動をし、ルーバ５０を指定された角度で揺動回動する。ステッピングモータ４５の回動は、モータ軸４５ａ、中間伝達軸９０、クランプ軸８０およびルーバ軸６０を介してルーバ５０に伝達される。
【００８１】
次いで、図２６を参照して、操作部３５について説明する。
【００８２】
操作部３５には、除湿機の運転開始および停止の指令のための入／切スイッチ１１１、オフタイマスイッチ１１２、運転切換スイッチ１１３、回転スイッチ１１４、回転角度設定スイッチ１１５、衣類乾燥／部屋カビガードスイッチ１１６の各種スイッチ類Ｘと、オフタイマ設定時の時限表示用（即ち、１時間、３時間および６時間）のＬＥＤ１１７，１１８，１１９、運転状態表示用（即ち、静音運転、中音運転および自動運転）のＬＥＤ１２０，１２１，１２２、３６０°回転表示用のＬＥＤ１２３、スポット表示用のＬＥＤ１２４、回転状態表示用のＬＥＤ１２５、回転角度設定表示用のＬＥＤ１２６、衣類乾燥選択表示用のＬＥＤ１２７、部屋カビガード選択表示用のＬＥＤ１２８、イオン発生表示用のＬＥＤ１２９、満水／タンクなし表示用のＬＥＤ１３０、湿度表示用（４０％、６０％および８０％）のＬＥＤ１３１，１３２，１３３の各種ＬＥＤ類Ｙとが設けられている。
【００８３】
図２７は、本実施の形態にかかる除湿機における制御回路のブロック図であり、制御部１３４は、マイクロプロセッサやその周辺回路、各モータおよびヒータの駆動回路等で構成されており、前述した複数の各種スイッチ類Ｘの制御信号が制御部１３４に入力されるとともに、複数の各種ＬＥＤ類Ｙが制御部１３４によって点灯又は消灯制御されることとなっている。また、制御部１３４には、湿度センサー１３５の検出信号および位置センサー１３６の検出信号が入力される。位置センサー１３６は、吹出方向設定手段によって往復揺動されるルーバ５０が基準位置にあるか否かを検出するセンサーである。また、ドレンタンク３１の水位を検出するフロートセンサー１３７の検出信号も制御部１３４に入力される。
【００８４】
前記制御部１３４の出力によって駆動制御される機構部品としては、前述のメインファン２３のモータ２４、除湿ロータ２５のモータ２６、再生ファン２７ｄのモータ、再生ヒータ２７ｂ、吹出方向回転モータであるルーバモータ４５、イオン発生器１３８である。この制御部１３４を構成するマイクロプロセッサは、ＲＯＭに記憶されたプログラムに従い、また、必要に応じて湿度センサー１３５の検出信号や位置センサー１３６の検出信号に基づいて、各機構部品の駆動制御を実行する。
【００８５】
以下においては、本実施の形態にかかる除湿機における各種制御について説明する。
（１）  ルーバ回転角度範囲の設定制御Ｉ（図２８のフローチャート参照）
ステップＳ１においてルーバ５０が回転駆動中であると確認されると、ステップＳ２において回転角度設定スイッチ１１５のＯＮ操作によりルーバ５０の回転始点Ｓ1（図２５参照）が決定されると、ステップＳ３において当該回転始点Ｓ1が制御部１３４に記憶され、ステップＳ４において回転角度設定表示用ＬＥＤ１２６が点滅され、同時に、ステップＳ５においてルーバモータ（ステッピングモータ）４５のステップ数Ｎのカウントが開始される。
【００８６】
次いで、ステップＳ６においてユーザが回転角度設定スイッチ１１５のＯＮ操作して、回転角度範囲の終点Ｓ2（図２５参照）が決定されると、ステップＳ７においてＮ＞３６０°か否かの判定がなされる（換言すれば、ルーバ５０が１回転以上したか否かの判定がなされる）。ここで、肯定判定された場合には、ステップＳ１にリターンして以下の制御が繰り返されるが、否定判定された場合には、ステップＳ８においてルーバモータ（ステッピングモータ）４５のステップ数Ｎのカウントが停止され、ステップＳ９においてルーバ５０がカウント数Ｎでのスイングが開始され、ステップＳ１０において回転角度設定表示用ＬＥＤ１２６が点灯され、その後ステップＳ１へリターンする。
【００８７】
上記したように、回転角度設定スイッチ１１５の２回のＯＮ操作によりルーバ５０の回転角度範囲の始点Ｓ1と終点Ｓ2とがユーザの希望に従って任意に決定されることとなる。従って、除湿機自体を動かさなくとも、希望通りの乾燥空気Ｗｒ′の吹出方向が得られるのである。また、ルーバ５０の回転途中における所望の回転角度範囲が設定できることとなり、ユーザの希望に適合させ易くなる。また、回転角度設定スイッチ１１５を２回操作するだけで、ルーバ５０の回転角度範囲の始点Ｓ1と終点Ｓ2とを設定できることとなり、回転角度範囲の設定が簡単に行える。また。回転始点Ｓ1の決定後おいても回転終点Ｓ2が決定されるまで、ルーバ５０の回転が継続されるところから、ルーバ５０の回転状態を見ながら回転角度範囲の設定が行えることとなり、所望の回転角度範囲の設定を確実に行うことができる。
（２）  ルーバ回転角度範囲の設定制御ＩＩ（図２９のフローチャート参照）
ステップＳ１においてルーバ５０が回転駆動中であると確認されると、ステップＳ２において回転角度設定スイッチ１１５のＯＮ操作によりルーバ５０の回転始点Ｓ1（図２５参照）が決定されると、ステップＳ３において当該回転始点Ｓ1が制御部１３４に記憶され、ステップＳ４において回転角度設定表示用ＬＥＤ１２６が点滅され、同時に、ステップＳ５においてルーバモータ（ステッピングモータ）４５のステップ数Ｎのカウントが開始される。
【００８８】
次いで、ステップＳ６においてユーザが回転角度設定スイッチ１１５のＯＮ操作して、回転角度範囲の終点Ｓ2（図２５参照）が決定されると、ステップＳ７においてＮ＞３６０°か否かの判定がなされる（換言すれば、ルーバ５０が１回転以上したか否かの判定がなされる）。ここで、否定判定された場合には、ステップＳ８においてルーバモータ（ステッピングモータ）４５のステップ数Ｎのカウントが停止され、ステップＳ９においてルーバ５０がカウント数Ｎでのスイングが開始され、ステップＳ１０において回転角度設定表示用ＬＥＤ１２６が点灯され、その後ステップＳ１へリターンするが、肯定判定された場合には、ステップＳ１１において回転角度の設定状態がキャンセルされ、ステップＳ１２において回転角度設定表示用ＬＥＤ１２６が点滅され、その後ステップＳ１へリターンする。
【００８９】
上記したように、この場合、ステッピングモータ４５のカウント数Ｎが３６０°を超えた場合（換言すれば、ルーバ５０が１回転以上した場合）には、回転角度範囲の設定をやり直すこととなっているのである。その他の作用効果は（１）の場合と同様なので説明を省略する。
（３）  ルーバ回転角度範囲の設定制御ＩＩＩ（図３０のフローチャート参照）
ステップＳ１においてルーバ５０が回転駆動中であると確認されると、ステップＳ２において回転角度設定スイッチ１１５のＯＮ操作によりルーバ５０の回転始点Ｓ1（図２５参照）が決定されると、ステップＳ３において当該回転始点Ｓ1が制御部１３４に記憶され、ステップＳ４において回転角度設定表示用ＬＥＤ１２６が点滅され、同時に、ステップＳ５においてルーバモータ（ステッピングモータ）４５のステップ数Ｎのカウントが開始される。
【００９０】
次いで、ステップＳ６においてユーザが回転角度設定スイッチ１１５のＯＮ操作して、回転角度範囲の終点Ｓ2（図２５参照）が決定されると、ステップＳ７においてＮ＞３６０°か否かの判定がなされる（換言すれば、ルーバ５０が１回転以上したか否かの判定がなされる）。ここで、否定判定された場合には、ステップＳ８においてルーバモータ（ステッピングモータ）４５のステップ数Ｎのカウントが停止され、ステップＳ９においてルーバ５０がカウント数Ｎでのスイングが開始され、ステップＳ１０において回転角度設定表示用ＬＥＤ１２６が点灯され、その後ステップＳ１へリターンするが、肯定判定された場合には、ステップＳ１１においてルーバモータ（ステッピングモータ）４５のステップ数Ｎのカウントが停止され、ステップＳ１２においてカウント数Ｎから３６０°を引いた回転角度範囲でのスイングが開始され、ステップＳ１０において回転角度設定表示用ＬＥＤ１２６が点灯され、その後ステップＳ１へリターンする
上記したように、この場合、ステッピングモータ４５のカウント数Ｎが３６０°を超えた場合（換言すれば、ルーバ５０が１回転以上した場合）には、カウント数Ｎから３６０°を引いた回転角度範囲でのスイングが開始されることとなっているのである。その他の作用効果は（１）の場合と同様なので説明を省略する。
【００９１】
上記回転角度範囲設定制御においては、回転角度設定スイッチ１１５のＯＮ操作により始点Ｓ1と終点Ｓ2とを決定するようにしているが、手動により始点Ｓ1と終点Ｓ2とを決定するようにしてもよい。
（４）  ルーバ動作制御（図３１のフローチャート参照）
ステップＳ１において回転スイッチ１１４がＯＮ操作されると、ステップＳ２においてルーバ５０が回転中か否かの判定がなされ、ここで肯定判定された場合には、ステップＳ３においてルーバモータ（ステッピングモータ）４５が停止され、その後ステップＳ１へリターンするが、否定判定された場合には、ステップＳ４においてルーバ５０の前回の回転方向が時計回りか否かの判定がなされる。ここで、肯定判定された場合には、ステップＳ５において反時計回り回転とされ、同時にステップＳ６においてルーバモータ（ステッピングモータ）４５が回転開始される。一方、ステップＳ４において否定判定された場合には、ステップＳ７において時計回り回転とされ、同時にステップＳ６においてルーバモータ（ステッピングモータ）４５が回転開始される。
【００９２】
上記したように、ルーバ５０は、回転スイッチ１１４のＯＮ操作毎に前回回転方向とは逆に回転されることとなっているのである。
（５）  除湿機の自動運転制御（図３２のフローチャート参照）
ステップＳ１において運転切換スイッチ１１３の操作により自動運転が選択されると、ステップＳ２において再生ヒータ２７ｂが高出力でＯＮされ、ルーバモータ４５がＯＮされ、メインファンモータ２４が「強」でＯＮされ、除湿モータ２６がＯＮされ、再生ファン２７ｄがＯＮされ、イオン発生器１３８がＯＮされる。
【００９３】
ついで、ステップＳ３において１０分が経過したか否かの判定がなされる。該判定は、最低動作時間の確保のために行われる。
【００９４】
ステップＳ３において肯定判定されるのを待って、ステップＳ４において湿度データが制御部１３４に取り込まれ、ステップＳ５において湿度≧６０％か否かの判定がなされる。ここで肯定判定されると、ステップＳ６において再生ヒータ２７ｂが高出力でＯＮされ、メインファンモータ２４が「強」でＯＮされる。また、ステップＳ５において否定判定されると、ステップＳ７において湿度≧５５％か否かの判定がなされ、ここで肯定判定されると、ステップＳ８において再生ヒータ２７ｂが中出力でＯＮされ、メインファンモータ２４が「中」でＯＮされる。さらに、ステップＳ７において否定判定されると、ステップＳ９において湿度≧５３％か否かの判定がなされ、ここで肯定判定されると、ステップＳ１０において再生ヒータ２７ｂが弱出力でＯＮされ、メインファンモータ２４が「弱」でＯＮされる。さらにまた、ステップＳ９において否定判定されると、ステップＳ１１において再生ヒータ２７ｂがＯＦＦされ、メインファンモータ２４が「弱」でＯＮされる。
【００９５】
つまり、湿度に応じて再生ヒータ２７ｂおよびメインファンモータ２４の出力制御がなされるのである。
【００９６】
上記出力制御中において、ステップＳ１２においてオフタイマ時間（ユーザがオフタイマスイッチ１１２を操作することにより設定される）が経過したか否かの判定がなされ、ここで肯定判定されると、ステップＳ１４に進み、電源がＯＦＦされ、運転が終了する。一方、ステップＳ１２において否定判定された場合には、ステップＳ１３において除湿機の最長動作時間である３６時間が経過したか否かの判定がなされ、ここで否定判定されると、ステップＳ４に戻り、肯定判定されるとステップＳ１４において電源がＯＦＦされ、運転が終了する。
（６）  除湿機の衣類乾燥運転制御（図３３のフローチャート参照）
ステップＳ１において衣類乾燥／部屋カビガードスイッチ１１６の操作により衣類乾燥運転が選択されると、ステップＳ２において再生ヒータ２７ｂが高出力でＯＮされ、ルーバモータ４５がＯＮされ、メインファンモータ２４が「強」でＯＮされ、除湿モータ２６がＯＮされ、再生ファン２７ｄがＯＮされ、イオン発生器１３８がＯＮされる。
【００９７】
ついで、ステップＳ３において５５分が経過したか否かの判定がなされる。該判定は、最低動作時間の確保のために行われる。
【００９８】
ステップＳ３において肯定判定されるのを待って、ステップＳ４において湿度データが制御部１３４に取り込まれ、ステップＳ５において湿度＜４０％か否かの判定がなされ、ここで肯定判定されるのを待って、ステップＳ６において再生ヒータ２７ｂの出力が「中」に落とされる。つまり、被乾燥衣類がある程度乾燥した状態になると、再生ヒータ２７ｂの出力が「中」に落とされるのである。
【００９９】
次に、ステップＳ７において湿度≧３５％か否かの判定がなされ、ここで否定判定されると、ステップＳ８において３分間運転した後、ステップＳ２０に進み、電源がＯＦＦされ、運転が終了する。つまり、湿度＜３５％の場合、被乾燥衣類が乾いていることを示しているので、衣類乾燥制御は終了されるのである。
【０１００】
一方、ステップＳ７において肯定判定された場合には、ステップＳ９において湿度＝４０％から湿度＝３５％間でにかかる時間Ｔが測定され、ステップＳ１０においてＴ≧３０分か否かの判定がなされ、ここで肯定判定されると、ステップＳ１２に進み、オフタイマが１２０分にセットされる。ステップＳ１０において否定判定された場合には、ステップＳ１１においてＴ≧１５分か否かの判定がなされ、ここで肯定判定されると、ステップＳ１３に進み、オフタイマが９０分にセットされる。ステップＳ１１において否定判定された場合には、ステップＳ１４に進み、オフタイマが６０分にセットされる。ここで、Ｔ≧３０分の場合、部屋が大きく、洗濯物（即ち、被乾燥衣類）が多い場合を示し、３０分＞Ｔ≧１５分の場合、部屋が中くらいで、洗濯物（即ち、被乾燥衣類）も中くらいの場合を示し、Ｔ＜１５分の場合、部屋が小さく、洗濯物が少ない場合を示しており、それらに対応してオフタイマの設定時間を選択することとしている。
【０１０１】
そして、ステップＳ１５においてオフタイマが減算された０になったか否かの判定がなされ、ここで肯定判定されるのを待って、ステップＳ１６において湿度≦３０％か否かの判定がなされる。ここで、否定判定されると、ステップＳ１７においてオフタイマが３０分にセットされるが、肯定判定されると、ステップＳ１８においてオフタイマが１５分にセットされる。
【０１０２】
その後、ステップＳ１９においてスタートから７時間（除湿機の最長動作時間）が経過したか否かの判定がなされ、ここで、肯定判定されるのを待って、ステップＳ２０において電源がＯＦＦされ、運転が終了する。
（７）  除湿機のお部屋カビガード運転制御（図３４のフローチャート参照）
ステップＳ１において衣類乾燥／部屋カビガードスイッチ１１６の操作によりカビガード運転が選択されると、ステップＳ２において再生ヒータ２７ｂが高出力でＯＮされ、ルーバモータ４５がＯＮされ、メインファンモータ２４が「強」でＯＮされ、除湿モータ２６がＯＮされ、再生ファン２７ｄがＯＮされ、イオン発生器１３８がＯＮされる。
【０１０３】
ついで、ステップＳ３において１０分が経過したか否かの判定がなされる。該判定は、最低動作時間の確保のために行われる。
【０１０４】
ステップＳ３において肯定判定されるのを待って、ステップＳ４において湿度データが制御部１３４に取り込まれ、ステップＳ５において湿度≦５０％か否かの判定がなされ、ここで肯定判定されるのを待って、ステップＳ６において再生ヒータ２７ｂの出力が「低」に落とされる。
【０１０５】
次に、ステップＳ７において再度湿度データが制御部１３４に取り込まれ、ステップＳ８において湿度≦４５％か否かの判定がなされ、ここで、否定判定された場合には、ステップＳ９において再生ヒータ２７ｂの出力が「低」を維持されるが、肯定判定された場合には、ステップＳ１０において再生ヒータ２７ｂがＯＦＦされる。
【０１０６】
その後、ステップＳ１１においてオフタイマ時間（ユーザがオフタイマスイッチ１１２を操作することにより設定される）が経過したか否かの判定がなされ、ここで肯定判定されると、ステップＳ１３に進み、電源がＯＦＦされ、運転が終了する。一方、ステップＳ１１において否定判定された場合には、ステップＳ１２において除湿機の最長動作時間である３６時間が経過したか否かの判定がなされ、ここで否定判定されると、ステップＳ７に戻り、肯定判定されるとステップＳ１３において電源がＯＦＦされ、運転が終了する。
【０１０７】
上記実施の形態においては、ルーバ５０は、水平軸回りに上下揺動する構造となっているが、以下の変形例において説明するように、ルーバ５０の垂直軸回りの回転に伴って、ルーバ５０が水平軸回りに上下揺動する構造とすることもできる。
（変形例）
この場合、図３５（イ）および図３６（イ）に示すように、ルーバ５０の外周部下面には、係止リブ１３９が一体に垂設される一方、ルーバケース４６には、断面Ｌ字状の当て板１４０を水平支持する当て板支持部１４１が一体に形成されている。
（Ｉ）  ルーバ５０が反時計回りに回転している時（図３５参照）
この時、ルーバ５０の回転に伴って係止リブ１３９は、図３５（ロ）に示すように、当て板１４０における垂直部１４０ａの外側に係止される（即ち、当て板１４０の水平部１４０ｂを当て板支持部１４１に押し付ける方向から係止される）。この状態からルーバ５０の回転が継続されると、図３５（ハ）〜（ホ）に示すように、係止リブ１３９が当て板垂直部１４０ａに沿って競り上がり、ルーバ５０が、空気吹出口３３の一部を構成する平板部材５３ａ側が上となるように傾動する。なお、傾動角は１５°〜３２．９°と変化する。そして、図３５（ホ）に示すように、係止リブ１３９の先端が当て板垂直部１４０ａの先端に到達した後には、係止リブ１３９は当て板垂直部１３９ａから滑り、ルーバ５０の傾動動作は終了する。その後、図３５（ロ）の状態となると、再度ルーバ５０の傾動動作が開始される。
（ＩＩ）  ルーバ５０が時計回りに回転している時（図３６参照）
この時、ルーバ５０の回転に伴って係止リブ１３９は、図３６（ロ）に示すように、当て板１４０における垂直部１４０ａの内側に係止される（即ち、当て板１４０の水平部１４０ｂを当て板支持部１４１から離脱させる方向から係止される）。この状態からルーバ５０の回転が継続されると、図３６（ハ）〜（ホ）に示すように、ルーバ５０は傾動することなく、係止リブ１３９が当て板１４０を角部１４０ｃを支点として傾動させることとなる。そして、図３６（ホ）に示すように、係止リブ１３９の先端が当て板垂直部１４０ａの先端に到達した後には、係止リブ１３９は当て板垂直部１３９ａから外れ、当て板１４０は、自重又はバネで元の状態に戻る。その後、図３６（ロ）の状態となると、当て板１４０の傾動動作が開始される。
【０１０８】
上記したように、本変形例においては、ルーバ５０の反時計回り回転動作に伴って、ルーバ５０が自動的に傾動せしめられることとなる。従って、ルーバ５０の傾動忘れが防止できるとともに、ルーバ５０の傾動角を毎回同じとすることができる。また、当て板垂直部１４０ａの長さを調整することにより、ルーバ５０の傾動角を調整することが可能となる。
【０１０９】
本願発明は、上記実施の態様の構成に限定されるものではなく、発明の要旨を逸脱しない範囲において適宜設計変更可能であることは勿論である。
【図面の簡単な説明】
【０１１０】
【図１】本願発明の実施の形態にかかる除湿機の正面図である。
【図２】本願発明の実施の形態にかかる除湿機の平面図である。
【図３】本願発明の実施の形態にかかる除湿機の断面図である。
【図４】本願発明の実施の形態にかかる除湿機における除湿部の概略構成を示す分解斜視図である。
【図５】本願発明の実施の形態にかかる除湿機におけるルーバ部の拡大断面図である。
【図６】本願発明の実施の形態にかかる除湿機におけるルーバ部を破断した状態を示す拡大斜視図である。
【図７】本願発明の実施の形態にかかる除湿機におけるルーバの拡大断面図である。
【図８】本願発明の実施の形態にかかる除湿機におけるルーバの拡大底面図である。
【図９】本願発明の実施の形態にかかる除湿機におけるルーバ軸の拡大平面図である。
【図１０】図９のＸ−Ｘ断面図である。
【図１１】図９のＸＩ−ＸＩ断面図である。
【図１２】本願発明の実施の形態にかかる除湿機におけるルーバ軸の拡大側面図である。
【図１３】本願発明の実施の形態にかかる除湿機におけるルーバ軸の拡大底面図である。
【図１４】本願発明の実施の形態にかかる除湿機におけるルーバ軸とクランプ軸とを係合するスプリングの拡大平面図である。
【図１５】本願発明の実施の形態にかかる除湿機におけるクランプ軸の拡大平面図である。
【図１６】本願発明の実施の形態にかかる除湿機におけるクランプ軸の拡大断面図である。
【図１７】本願発明の実施の形態にかかる除湿機におけるクランプ軸の拡大底面図である。
【図１８】本願発明の実施の形態にかかる除湿機における中間伝達軸の拡大正面図である。
【図１９】本願発明の実施の形態にかかる除湿機における中間伝達軸の拡大平面図である。
【図２０】本願発明の実施の形態にかかる除湿機における中間伝達軸の拡大断面図である。
【図２１】本願発明の実施の形態にかかる除湿機における中間伝達軸の拡大底面図である。
【図２２】本願発明の実施の形態にかかる除湿機における軸受部材の拡大平面図である。
【図２３】本願発明の実施の形態にかかる除湿機における軸受部材の拡大断面図である。
【図２４】本願発明の実施の形態にかかる除湿機における軸受部材の拡大底面図である。
【図２５】本願発明の実施の形態にかかる除湿機における空気吹出口部分を拡大した平面図である。
【図２６】
【０１１１】
本願発明の実施の形態にかかる除湿機における操作部の拡大平面図である。
【図２７】本願発明の実施の形態にかかる除湿機における制御系を示すブロック図である。
【図２８】本願発明の実施の形態にかかる除湿機におけるルーバ回転角度設定制御Ｉの内容を示すフローチャートである。
【図２９】本願発明の実施の形態にかかる除湿機におけるルーバ回転角度設定制御ＩＩの内容を示すフローチャートである。
【図３０】本願発明の実施の形態にかかる除湿機におけるルーバ回転角度設定制御ＩＩＩの内容を示すフローチャートである。
【図３１】本願発明の実施の形態にかかる除湿機におけるルーバ回転動作制御の内容を示すフローチャートである。
【図３２】本願発明の実施の形態にかかる除湿機における自動運転制御の内容を示すフローチャートである。
【図３３】本願発明の実施の形態にかかる除湿機における衣類乾燥運転制御の内容を示すフローチャートである。
【図３４】本願発明の実施の形態にかかる除湿機におけるお部屋カビガード運転制御の内容を示すフローチャートである。
【図３５】本願発明の実施の形態にかかる除湿機における反時計回り回転時のルーバ回転動作の変形例を示す図であり、（イ）は平面図、（ロ）は係止リブと当て板との初期係止状態を示し、（ハ）は係止リブと当て板との中初期係止状態を示し、（ニ）は係止リブと当て板との中後期係止状態を示し、（ホ）は係止リブと当て板との後期係止状態を示している。
【図３６】本願発明の実施の形態にかかる除湿機における時計回り回転時のルーバ回転動作の変形例を示す図であり、（イ）は平面図、（ロ）は係止リブと当て板との初期係止状態を示し、（ハ）は係止リブと当て板との中初期係止状態を示し、（ニ）は係止リブと当て板との中後期係止状態を示し、（ホ）は係止リブと当て板との後期係止状態を示している。
【符号の説明】
【０１１２】
２３はメインファン
２５は除湿手段（除湿ロータ）
３２は空気吸込口
３３は空気吹出口
５０はルーバ
Ｓ1は回転始点
Ｓ2は回転終点
【図１】
2006218356.tif 000003
【図２】
2006218356.tif 000004
【図３】
2006218356.tif 000005
【図４】
2006218356.tif 000006
【図５】
2006218356.tif 000007
【図６】
2006218356.tif 000008
【図７】
2006218356.tif 000009
【図８】
2006218356.tif 000010
【図９】
2006218356.tif 000011
【図１０】
2006218356.tif 000012
【図１１】
2006218356.tif 000013
【図１２】
2006218356.tif 000014
【図１３】
2006218356.tif 000015
【図１４】
2006218356.tif 000016
【図１５】
2006218356.tif 000017
【図１６】
2006218356.tif 000018
【図１７】
2006218356.tif 000019
【図１８】
2006218356.tif 000020
【図１９】
2006218356.tif 000021
【図２０】
2006218356.tif 000022
【図２１】
2006218356.tif 000023
【図２２】
2006218356.tif 000024
【図２３】
2006218356.tif 000025
【図２４】
2006218356.tif 000026
【図２５】
2006218356.tif 000027
【図２６】
2006218356.tif 000028
【図２７】
2006218356.tif 000029
【図２８】
2006218356.tif 000030
【図２９】
2006218356.tif 000031
【図３０】
2006218356.tif 000032
【図３１】
2006218356.tif 000033
【図３２】
2006218356.tif 000034
【図３３】
2006218356.tif 000035
【図３４】
2006218356.tif 000036
【図３５】
2006218356.tif 000037
【図３６】
2006218356.tif 000038